(57)【要約】【課題】スポーツソックス、ファッションソックスとして好適な立体編み形状部付きソックスを提供する。【解決手段】各種の繊維からなる糸により編成されたソックス本体Ｓと、ソックス本体Ｓに一体に編成された立体編み形状部１０とを備え、立体編み形状部１０は例えばポケット形状で、ソックス本体Ｓの編み目とひとつながりに編み込まれる。【選択図】図１
0003132053.tif 000002
【実用新案登録請求の範囲】
【請求項１】
各種の繊維からなる糸により編成されたソックス本体と、
前記ソックス本体に一体に編成された立体編み形状部とを備え、
前記立体編み形状部は前記ソックス本体の編み目とひとつながりに編み込まれることを特徴とする立体編み形状部付きソックス。
【請求項２】
立体編み形状部はソックス本体の外側又は内側で、足首の周囲から脛その他の脚部の一部又は脚部の全体に延びるポケット状に形成される請求項１に記載の立体編み形状部付きソックス。
【請求項３】
立体編み形状部はソックス本体の外側で、はき口又は足首又はその中間の任意の位置から延び、ソックス本体の脚部周囲にスカート状又はフラップ状に形成されることを特徴とする立体編み形状部付きソックス。
【考案の詳細な説明】
【技術分野】
【０００１】
本考案は、機械編みのソックスに関し、特に、サッカーその他のスポーツで、足首や脛など足の保護を図るスポーツソックスとして、またアクセサリーを付けたファッションソックスとして、さらに使い捨てカイロなどの簡易保温具を利用して足の保温を図る保温ソックスとして好適な立体編み形状部付きソックスに関する。
【背景技術】
【０００２】
一般に、サッカーなどのスポーツでは、プレー中にボールがプレイヤーの脛に当たったり、プレイヤー同士の足と足の接触で脛や足首に衝撃を受けたりして、プレイヤーは脛や足首など足を負傷することが少なくない。そこで、従来のサッカーその他のスポーツソックスでは、編地を厚くして、脛や足首に受ける衝撃が緩和されるようになっている。また、近時は、脛当てなどのプロテクターが市販されており、プロテクターを脛の上に当てて、その上からソックスを着用することで、脛の保護を図っている。この種のスポーツソックスについては例えば特許文献１を参照されたい。
【０００３】
また一般に、靴下は、天然繊維、化学繊維、あるいは羊毛などで編成され、種々の色や柄、また飾りなどが付けられる。さらに、寒冷の時季向けあるいは寒冷地向けの靴下は、保温性の高い素材で厚手に編成され、暑熱の時季向けあるいは暑熱地向けの靴下は、通気性に優れた素材で薄手に編成される。この種の靴下は周知のとおりで、その一例が特許文献２などに記載されている。
【０００４】
【特許文献１】特開２０００−３４５４０４公報
【特許文献２】実開昭６２−１８０００８公報
【考案の開示】
【考案が解決しようとする課題】
【０００５】
ところで、サッカーなどのスポーツでは、足、特に脛に対するボールの衝撃、あるいはプレイヤー同士の足と足の接触による足に受ける衝撃は大きく、従来のスポーツソックスのように、編地を単に厚くするだけでは、実際には足に対する衝撃を緩和することは難しく、既述の脛当てのようなプロテクターを併用することが望ましい。しかしながら、従来のスポーツソックスでは、プロテクターを装着するための特別の手段がなく、プロテクターを脛の上に当て、その上にソックスを着用して装着していることが多いが、このようなプロテクターの装着方法では、プロテクターがソックスの中でずれてしまい、脛を確実に保護することができない。
【０００６】
また、一般の靴下においては、特に柄や飾りが柄編みや刺しゅうにより形成されるため、柄や飾りが平面的で趣向性（趣き、面白み）に欠け、既存のファッション感覚の域を出ない。消費者の多くが衣料品をはじめ、種々のモノに新たなファッション感覚を求めている今日、靴下の柄や飾りにも新たなデザインが加えられることは望ましい。
【０００７】
本考案は、このような従来の課題を解決するもので、ソックス本体に立体編み形状部をソックス本体と同時に編み上げて、当該立体編み形状部にプロテクターなどを入れて、サッカーその他のスポーツで、足首や脛など足の保護を図るスポーツソックスとして、また当該立体編み形状部をデザイン化して、立体的なアクセサリーを付けたファッションソックスとして、さらに当該立体編み形状部に使い捨てカイロなどの簡易保温具を入れて、足の保温を図る保温ソックスとして利用することのできる立体編み形状部付きソックスを提供することを目的とする。
【課題を解決するための手段】
【０００８】
上記目的を達成するために、本考案の立体編み形状部付きソックスは、各種の繊維からなる糸により編成されたソックス本体と、前記ソックス本体に一体に編成された立体編み形状部とを備え、前記立体編み形状部は前記ソックス本体の編み目とひとつながりに編み込まれることを要旨とする。そして、このソックスをスポーツソックスとして利用する場合、立体編み形状部は、ソックス本体の外側又は内側で、足首の周囲から脛その他の脚部の一部又は脚部の全体に延びるポケット状に形成されることが好ましい。また、このソックスをファッションソックスとして利用する場合、立体編み形状部はソックス本体の外側で、はき口又は足首又はその中間の任意の位置から延び、ソックス本体の脚部周囲にスカート状又はフラップ状に形成されることが好ましい。さらに、このソックスを保温ソックスとして利用する場合は、立体編み形状部を、ソックス本体の底、足首など任意の位置にポケット状に形成すればよい。
【考案の効果】
【０００９】
本考案の立体編み形状部付きソックスは、上記の構成により、ソックス本体に立体編み形状部をソックス本体と同時に編み上げて、当該立体編み形状部をソックス本体の外側又は内側で、足首の周囲から脛その他の脚部の一部又は脚部の全体に延びるポケット状に形成することで、当該立体編み形状部に脛当てなどのプロテクターを入れて、サッカーその他のスポーツで、足首や脛など足の保護を図るスポーツソックスとして提供することができる。また、当該立体編み形状部をソックス本体の外側で、はき口又は足首又はその中間の任意の位置から延び、ソックス本体の脚部周囲にスカート状又はフラップ状に形成し、併せてデザイン化することで、立体的なアクセサリーを付けたファッションソックスとして提供することができる。さらに、当該立体編み形状部をソックス本体の底、足首など任意の位置にポケット状に形成することで、当該立体編み形状部に使い捨てカイロなどの簡易保温具を入れて、足の保温を図る保温ソックスとして提供することができる。
【考案を実施するための最良の形態】
【００１０】
以下、本考案の実施の形態について図１〜図９を用いて説明する。図１〜図６に第１〜第６の実施の形態を示している。図７、図８に第７、第８の実施の形態を示している。図９に第９の実施の形態を示している。これら図１〜図９において、立体編み形状部付きソックス１〜９は機械編みにより編成され、ソックス本体Ｓと、立体編み形状部１０〜９０とを備える。この場合、ソックス本体Ｓは、各種の繊維からなる糸により、はき口Ｓ１１から足首Ｓ１３当たりまで（以下の説明の中で、この範囲を脚部Ｓ１という。）、そして足首Ｓ１３当たりから踵Ｓ１４、つま先Ｓ１５まで（以下の説明の中で、この範囲を足部Ｓ２という。）が編み上げられる。なお、はき口Ｓ１１側の上部はリブ編みで、脚部Ｓ１の編地は、ヒト（人間）の脚部形状に合せて編み目が変えられ、上部側が詰め度目、中間部が少し荒度目、下部側が詰め度目になっている。立体編み形状部１０〜９０は、本願考案者により考案された立体編みの技術により、ソックス本体Ｓと共通の糸でソックス本体Ｓと同時に編み上げられ、ソックス本体Ｓの編み目とひとつながりの袋状に編み込まれて、ソックス本体Ｓに一体に立体的に編成される。
【００１１】
図１の第１の実施の形態において、立体編み形状部付きソックス１は、特にサッカー用のスポーツソックスとして編成される。このソックス１では、ソックス本体Ｓの脚部Ｓ１が長く形成され、この脚部Ｓ１の前面外側に重ねて、立体編み形状部１０が一体に編成される。この立体編み形状部１０の場合、ソックス本体Ｓの外側で、足首Ｓ１３の周囲から脛Ｓ１２に相当する脚部Ｓ１の一部に延びるポケット状に形成される。この場合、ポケット状の編地（立体編み形状部１０）は２重の編地により構成され、全体がソックス本体Ｓの足首Ｓ１３の（外）周囲と同じ寸法の幅で同じ編目により細長い矩形状に編み上げられる。（ポケット状の編地の）上部はソックス本体Ｓ（の外側）との間で開口され、この開口１１の縁部に渕１２が付けられる。（ポケット状の編地の）両側部はそれぞれ、上から下にいくに従ってソックス本体Ｓの脚部Ｓ１両側の略中央から徐々に脚部Ｓ１後面に向けて斜めに編み込まれ、（ポケット状の編地の）下部はソックス本体Ｓの足首Ｓ１３の（外）周囲に沿って巻き込んで編み付けられる（つまり、下部は閉じられる）。
【００１２】
このようにしてこのスポーツソックスの場合、立体編み形状部１０（ここでは、ポケット形状部１０という。）に脛当てなどのプロテクターＰが挿着できるようになっている。このポケット形状部１０にプロテクターＰを挿入する場合、プロテクターＰを上部の開口１１から差し込めばよい。このとき、上部の開口１１縁部は渕１２が付けられて、開口１１の形状が確実に維持されるので、プロテクターＰが入りやすく、プロテクターＰをポケット形状部１０内部に容易に差し込むことができ、また反対に、取り外しも簡単に行なうことができる。そして、プロテクターＰがポケット形状部１０に挿着されると、このプロテクターＰは全面がソックス本体Ｓの外側で、脚部Ｓ１前面から側面に回り、プロテクターＰの両側エッジが上から下にいくにしたがって、ソックス本体Ｓの脚部Ｓ１側面中央から徐々に脚部Ｓ１後面に向けて斜めになり、（プロテクターＰの）下部がソックス本体Ｓの足首Ｓ１３の周囲に巻き付けられる。このプロテクターＰはポケット形状部１０内部で動きを規制され、ずれたり外れたりすることがなく、安定して定着することができる。サッカーのプレイヤーは、このスポーツソックスを着用することにより、足の脛や足首をプロテクターＰにより確実に包囲して保護することができ、サッカーのプレー中にボールがプレイヤーの脛に当たったり、プレイヤー同士の足と足の接触で脛や足首に衝撃を受けたりしても、その衝撃をプロテクターＰで確実かつ十分に緩和することができる。なお、このソックスの場合、特に前面が、ソックス本体Ｓの編地とポケット形状部１０の２重の編地とにより、３重の編地になっているので、ソックスそれ自体にも衝撃を緩和する作用がある。
【００１３】
図２の第２の実施の形態において、立体編み形状部付きソックス２は、第１の実施の形態とは若干異なるサッカー用のスポーツソックスとして編成される。このソックス２では、第１の実施の形態と概ね同じ編み方が採用され、ソックス本体Ｓの脚部Ｓ１前面の内側に重ねて、立体編み形状部２０が一体に編成される。この立体編み形状部２０の場合、ソックス本体Ｓの内側で、足首Ｓ１３の周囲から脛Ｓ１２に相当する脚部Ｓ１の一部に延びるポケット状に形成される。この場合、ポケット状の編地は２重の編地により構成され、全体がソックス本体Ｓの足首Ｓ１３の周囲と同じ寸法の幅で同じ編目により細長い矩形状に編み上げられる。（ポケット状の編地の）上部はソックス本体Ｓの外側に開口され、この開口２１の縁部に渕２２が付けられる。（ポケット状の編地の）両側部はそれぞれ、上から下にいくに従ってソックス本体Ｓの脚部Ｓ１２両側の略中央から徐々に脚部Ｓ１２後面に向けて斜めに編み込まれ、（ポケット状の編地の）下部はソックス本体Ｓの足首Ｓ１３の（内）周囲に沿って巻き込んで編み付けられる（つまり、下部は閉じられる）。このようにしても第１の実施の形態と同様に、立体編み形状部２０に脛当てなどのプロテクターＰを挿着することができ、第１の実施の形態と同様の作用効果を得ることができる。
【００１４】
図３の第３の実施の形態において、立体編み形状部付きソックス３は、第１の実施の形態とは若干異なるサッカー用のスポーツソックスとして編成される。このソックス３では、第２の実施の形態と概ね同じ編み方が採用され、ソックス本体Ｓの脚部Ｓ１内周面に重ねて、立体編み形状部３０が一体に編成される。この立体編み形状部３０の場合、ソックス本体Ｓの内側で、足首Ｓ１３の（内）周囲から略筒形に編成されて、ポケット状に形成される。この場合、ポケット状の編地は１重又は２重の編地により構成され、全体がソックス本体Ｓの足首Ｓ１３の（内）周囲から同じ編目によりヒト（人間）の脚部形状に合わせて筒形に編み上げられる。この（ポケット状の編地の）上部開口３１はソックス本体Ｓのはき口Ｓ１１と同じ位置又は少し下がった位置まで延び、この開口３１の縁部に渕３２が付けられる。このようにしても第１の実施の形態と同様に、立体編み形状部３０に脛当てなどのプロテクターＰを挿着することができ、第１の実施の形態と同様の作用効果を得ることができる。また、この実施の形態の場合、立体編み形状部３０を足首Ｓ１３の（内）周囲から略筒形に延びるポケット状に形成しているので、この立体編み形状部３０とソックス本体Ｓの脚部Ｓ１との間の全周にプロテクターＰを挿着し、脚部Ｓ１全体をプロテクターＰで包囲することができる。
【００１５】
図４の第４の実施の形態において、立体編み形状部付きソックス４は、第１の実施の形態とは若干異なるサッカー用のスポーツソックスとして編成される。このソックス４では、概ね第３の実施の形態と同じ編み方が採用され、ソックス本体Ｓの脚部Ｓ１内周面に重ねて、立体編み形状部４０が一体に編成される。したがって、この立体編み形状部４０は第３の実施の形態と同様の構成及び作用、効果を有している。この立体編み形状部４０が第３の実施の形態と異なるのは、後面（ヒトの脚部の脹脛に相当する位置）に開口４１から下方に向けて所定の長さの切れ目４３が設けられる点にある。このような切れ目４３が設けられることで、筒形形状の立体編み形状部４０に足を通しやすくした。
【００１６】
図５の第５の実施の形態において、立体編み形状部付きソックス５は、第１の実施の形態とは若干異なるサッカー用のスポーツソックスとして編成される。このソックス５では、概ね第３の実施の形態と同じ編み方が採用され、ソックス本体Ｓの脚部Ｓ１内周面に重ねて、立体編み形状部５０が一体に編成される。したがって、この立体形状部５０は第３の実施の形態と同様の構成及び作用、効果を有している。この立体編み形状部５０が第３の実施の形態と異なるのは、上部がソックス本体Ｓよりも長く延ばされて、上部開口５１がはき口Ｓ１１から外部に突出される点にある。このように上部開口５１をソックス本体Ｓのはき口Ｓ１１よりも延ばしたことで、この立体編み形状部５０とソックス本体Ｓの脚部Ｓ１との間に脛当てなどのプロテクターＰを挿着した後、この上部を外側に折り返し、立体編み形状部５０とソックス本体Ｓの脚部Ｓ１との間を閉じて、プロテクターＰを保持することができる。
【００１７】
なお、これら第３、第４、第５の実施の形態では、立体編み形状部３０、４０、５０をソックス本体Ｓの内側に、足首Ｓ１３の（内）周囲から筒形に延びるポケット状に形成したが、この立体編み形状部３０、４０、５０をソックス本体Ｓの外側に、足首Ｓ１３の（外）周囲から脚部Ｓ１全周に延びる筒形のポケット状に形成してもよい。
【００１８】
図６の第６の実施の形態において、立体編み形状部付きソックス６は、第１の実施の形態とはまた少し異なるサッカー用のスポーツソックスとして編成される。このソックス６では、ソックス本体Ｓの脚部Ｓ１が長く形成され、この脚部Ｓ１前面の内周に沿って、立体編み形状部６０が一体に編成される。この立体編み形状部６０の場合、ソックス本体Ｓの内側で、（ソックス本体Ｓの）脚部Ｓ１前面とは別に、（ソックス本体Ｓの）足首Ｓ１３の（内）周囲から脛Ｓ１２に相当する脚部Ｓ１の一部に沿って延びるポケット状に形成される。この場合、ポケット状の編地（立体編み形状部６０）は全体がソックス本体Ｓの足首Ｓ１３の（内）周囲と同じ寸法の幅で同じ編目により細長い矩形状の袋に編成される。（ポケット状の編地の）上部はソックス本体Ｓの内側で開口され、この開口６１の縁部に渕６２が付けられる。（ポケット状の編地の）両側部はそれぞれ、ソックス本体Ｓと分離され、上中下の３箇所又は上下の２箇所に紐（紐状の編地又は生地）６３が付けられる。（ポケット状の編地の）下部はソックス本体Ｓの足首Ｓ１３の内周に沿って巻き込んで編み付けられ（つまり、下部は閉じられ）、ソックス本体Ｓに一体化される。
【００１９】
このようにしてこのスポーツソックスの場合も、立体編み形状部６０（ここでは、ポケット形状部６０という。）に脛当てなどのプロテクターＰが挿着できるようになっている。このポケット形状部６０にプロテクターＰを挿入する場合も、プロテクターＰを上部の開口６１から差し込めばよい。このとき、上部の開口６１縁部は渕６２が付けられて、開口６１の形状が確実に維持されるので、プロテクターＰが入りやすく、プロテクターＰをポケット形状部６０内部に容易に差し込むことができ、また反対に取り外しも簡単に行なうことができる。そして、プロテクターＰがポケット形状部６０に挿着されると、このプロテクターＰは全面がソックス本体Ｓの内側で、脚部Ｓ１前面から側面に回り、プロテクターＰの両側エッジが上から下にいくにしたがって、ソックス本体Ｓの脚部Ｓ１側面中央から徐々に脚部後面に向けて斜めとなり、（プロテクターＰの）下部が足首Ｓ１３の周囲に巻き付けられる。このプロテクターＰはポケット形状部６０内部で動きを規制され、ずれたり外れたりすることはなく、安定して定着することができる。このスポーツソックスを着用する場合、ソックス本体Ｓに足を通し、ソックス本体Ｓの脚部Ｓ１全体を足首当たりまで下げておき、プロテクターＰを装着したポケット形状部６０を足の脛に当て、足首に巻き付ける。この状態をポケット形状部６０の両側の各紐６３を結んで固定する。そしてポケット形状部６０の上から、ソックス本体Ｓの脚部を足の所定の高さまで持ち上げればよい。このスポーツソックスにより、足の脛や足首をプロテクターＰにより確実に包囲して保護することができ、サッカーのプレー中にボールがプレイヤーの脛に当たったり、プレイヤー同士の足と足の接触で脛や足首に衝撃を受けたりしても、その衝撃をプロテクターＰで確実かつ十分に緩和することができる。なお、このソックスの場合も、特に前面が、ソックス本体Ｓの編地とポケット形状部６０の２重の編地とにより、３重の編地になっているので、ソックスそれ自体にも衝撃を緩和する作用がある。ポケット形状部６０の紐６３は面ファスナその他の結合手段に代えることができる。
【００２０】
図７の第７の実施の形態において、立体編み形状部付きソックス７は、ファッションソックスとして編成される。このソックス７では、ソックス本体Ｓが通常の靴下として形成され、ソックス本体Ｓの脚部Ｓ１の外側に重ねて、立体編み形状部７０が一体に編成される。この立体編み形状部７０の場合、第１の実施の形態と概ね同じ編み方が採用され、ソックス本体Ｓの外側で、ふくらはぎ又はそれより少し下がった位置にポケット状に形成される。この場合、ポケット状の編地（立体編み形状部７０）は１重又は２重の編地により構成され、全体がソックス本体Ｓの脚部Ｓ１後面の幅よりも小さい幅で同じ編目により編み上げられる。（ポケット状の編地の）上部はソックス本体Ｓ（の外側）との間に開口され、この開口７１の縁部に渕７２が付けられる。（ポケット状の編地の）両側部及び下部はそれぞれ、ソックス本体Ｓの脚部Ｓ１後面に編み込まれる（つまり、両側及び下部は閉じられる）。
【００２１】
このようにしてこのファッションソックスの場合、立体編み形状部７０（ここでは、ポケット形状部７０という。）にアクセサリーや小人形などのデザイン小物が挿着できるようになっている。このポケット形状部７０にデザイン小物を挿入する場合、デザイン小物を上部開口７１から差し込めばよい。このとき、開口７１縁部は渕７２が付けられて、開口７１の形状が確実に維持されるので、デザイン小物が入りやすく、デザイン小物をポケット形状部７０内部に容易に差し込むことができ、また反対に、取り外しも簡単に行なうことができる。このようにしてデザイン小物がポケット形状部７０に挿着される。このデザイン小物はポケット形状部７０内部で動きを規制され、ずれたり外れたりすることがなく、安定して定着することができる。ユーザーは、このファッションソックスをユーザーのオリジナルソックスとして楽しんで着用することができる。
【００２２】
図８の第８の実施の形態において、立体編み形状部付きソックス８は、第７の実施の形態とはまた異なるファッションソックスとして編成される。このソックス８では、ソックス本体Ｓが通常の靴下として形成され、このソックス本体Ｓの脚部Ｓ１の周囲に、立体編み形状部８０が一体に編成される。この立体編み形状部８０の場合、ソックス本体Ｓの外側で、はき口Ｓ１１又は足首Ｓ１３又はその中間当たり任意の位置から延び、ソックス本体Ｓの脚部Ｓ１周囲にスカート状に形成される。この場合、スカート状の編地（立体編み形状部）は１重又は２重の編地により構成され、全体がソックス本体Ｓの脚部Ｓ１周囲の寸法と同じか又は少し大きい径で略筒形形状に編み上げられる。（スカート状の編地の）一端８０１はソックス本体Ｓの脚部Ｓ１周囲に沿って編み付けられる（つまり、この一端８０１はソックス本体Ｓの編み目に連続される）。この一端８０１から他端８０２に向けて同じ編目で編み上げられ、他端８０２は柄、模様を付けて編み上げられる。他端８０２縁は例えば波形に編み上げられる。
【００２３】
このようにしてこのファッションソックスの場合、ソックス本体Ｓの脚部Ｓ１周囲に立体編み形状部８０（ここでは、スカート形状部８０という。）が付けられて、斬新なデザインになっている。このスカート形状部８０は波形の端縁を下向きにして下げてもよく、また（図８中、２点鎖線で示すように）上向きにして上げてもよく、さらに下向き又は上向きの状態から中間部当たりを折り曲げて捲られた形にしてもよく、スカート形状部８０の形を種々に変化させることができる。なお、ここではスカート形状部８０のデザインの一例を示したが、このスカート形状部８０の形状を種々に変えることができ、またスカート形状に代えてフラップ形状でもよく、バリエーションはかなり多くなる。ユーザーは、このファッションソックスを、スカート形状又はフラップ形状の立体デザインを楽しんで着用することができる。
【００２４】
なお、この第８の実施の形態の立体編み形状部８０、すなわちスカート形状部８０又はフラップ形状部はスポーツソックスにも適用することができ、特に足首Ｓ１３を保護する構造に採用することができる。
【００２５】
図９の第９の実施の形態において、立体編み形状部付きソックス９は、保温ソックスとして編成される。このソックス９では、ソックス本体Ｓが通常の靴下として形成され、ソックス本体Ｓの足部Ｓ２底面の外側に重ねて、立体編み形状部９０が一体に編成される。この立体編み形状部９０の場合、第１の実施の形態と概ね同じ編み方が採用され、ソックス本体Ｓの外側で、踵Ｓ１４近傍からつま先Ｓ１５近くまで延びるポケット状に形成される。この場合、ポケット状の編地（立体編み形状部９０）は２重の編地により構成され、全体がソックス本体Ｓの足部Ｓ２底面と同じ寸法の幅で同じ編目によりソックス本体Ｓの足部Ｓ２底面に対応する形状に編み上げられる。（ポケット状の編地の）踵Ｓ１４側はソックス本体Ｓ（の外側）との間に開口され、この開口９１の縁部に渕９２が付けられる。（ポケット状の編地の）両側部はそれぞれ、ソックス本体Ｓの足部Ｓ２両側に編み込まれ、（ポケット状の編地の）つま先Ｓ１５側はソックス本体Ｓの足部Ｓのつま先Ｓ１５に沿って編み付けられる（つまり、つま先Ｓ１５側は閉じられる）。
【００２６】
このようにしてこの保温ソックスの場合、立体編み形状部９０（ここでは、ポケット形状部９０という。）に使い捨てカイロなどの簡易保温具Ｈが挿着できるようになっている。このポケット形状部９０に簡易保温具Ｈを挿入する場合、簡易保温具Ｈを踵Ｓ１４側の開口９１から差し込めばよい。このとき、開口９１縁部は渕９２が付けられて、開口９１の形状が確実に維持されるので、簡易保温具Ｈが入りやすく、簡易保温具Ｈをポケット形状部９０内部に容易に差し込むことができ、また反対に、取り外しも簡単に行なうことができる。このようにして簡易保温具Ｈがポケット形状部９０に挿着される。この簡易保温具Ｈはポケット形状部９０内部で動きを規制され、ずれたり外れたりすることがなく、安定して定着することができる。ユーザーは、この保温ソックスを着用することにより、足の裏を簡易保温具Ｈの発熱作用により温めることができ、足下を十分に保温することができる。
【００２７】
なお、第１〜第９の実施の形態は本願考案者の立体編み技術の一例にすぎず、立体編み形状部１０〜９０の形状や位置を種々に変更することで、各種のソックスに多種多様な機能を持たせたり、一般の靴下の柄や飾りに多種多様な立体デザインを作り出すことができる。
【図面の簡単な説明】
【００２８】
【図１】本考案の第１の実施の形態における立体編み形状部付きソックスの斜視図
【図２】本考案の第２の実施の形態における立体編み形状部付きソックスの斜視図
【図３】本考案の第３の実施の形態における立体編み形状部付きソックスの斜視図
【図４】本考案の第４の実施の形態における立体編み形状部付きソックスの側面図
【図５】本考案の第５の実施の形態における立体編み形状部付きソックスの側面図
【図６】本考案の第６の実施の形態における立体編み形状部付きソックスの側面図
【図７】本考案の第７の実施の形態における立体編み形状部付きソックスの側面図
【図８】本考案の第８の実施の形態における立体編み形状部付きソックスの側面図
【図９】本考案の第９の実施の形態における立体編み形状部付きソックスの側面図
【符号の説明】
【００２９】
１  立体編み形状部付きソックス（スポーツソックス）
１０  立体編み形状部（ポケット形状部）
１１  開口
１２  渕
２  立体編み形状部付きソックス（スポーツソックス）
２０  立体編み形状部（ポケット形状部）
２１  開口
２２  渕
３  立体編み形状部付きソックス（スポーツソックス）
３０  立体編み形状部（ポケット形状部）
３１  開口
３２  渕
４  立体編み形状部付きソックス（スポーツソックス）
４０  立体編み形状部（ポケット形状部）
４１  開口
４３  切れ目
５  立体編み形状部付きソックス（スポーツソックス）
５０  立体編み形状部（ポケット形状部）
５１  開口
６  立体編み形状部付きソックス（スポーツソックス）
６０  立体編み形状部（ポケット形状部）
６１  開口
６２  渕
６３  紐
７  立体編み形状部付きソックス（ファッションソックス）
７０  立体編み形状部（ポケット形状部）
７１  開口
７２  渕
８  立体編み形状部付きソックス（ファッションソックス）
８０  立体編み形状部（ポケット形状部）
８０１  一端口
８０２  他端
９  立体編み形状部付きソックス（保温ソックス）
９０  立体編み形状部（ポケット形状部）
９１  開口
９２  渕
Ｓ  ソックス本体
Ｓ１  脚部
Ｓ２  足部
Ｓ１１  はき口
Ｓ１２  脛
Ｓ１３  足首
Ｓ１４  踵
Ｓ１５  つま先
Ｐ  プロテクター
Ｈ  簡易保温具
【図１】
0003132053.tif 000003
【図２】
0003132053.tif 000004
【図３】
0003132053.tif 000005
【図４】
0003132053.tif 000006
【図５】
0003132053.tif 000007
【図６】
0003132053.tif 000008
【図７】
0003132053.tif 000009
【図８】
0003132053.tif 000010
【図９】
0003132053.tif 000011